(57)【要約】【課題】        プロテイン等の顆粒体又は粉体を計量して、ＰＥＴボトル等の容器内に注出する計量スプーンは知られているが、前記容器の注入口が細口の場合、計量スプーンから前記容器内部にプロテイン等の顆粒体又は粉体を注出する際に、前記注入口の外周部に零れ落ちて周辺を汚してしまう課題があった。【解決手段】    顆粒体又は粉体等の流動体を収容する流動体収容カップ２に、該流動体注出用の注出取手部３を設けてなる注出取手付カップ１。【選択図】        図１
0003103548.tif 000002
【実用新案登録請求の範囲】
【請求項１】
顆粒体又は粉体等の流動体を収容する流動体収容カップに、該流動体注出用の注出取手部を設けてなる注出取手付カップ。
【請求項２】
請求項１に記載の注出取手付カップにおいて、筒状の前記注出取手部を流動体収容カップの底部付近に設けてなる注出取手付カップ。
【請求項３】
請求項１に記載の注出取手付カップにおいて、トイ（樋）状の前記注出取手部を流動体収容カップの上端部付近に設けてなる注出取手付カップ。
【請求項４】
請求項１乃至３のいずれかに記載の注出取手付カップにおいて、前記注出取手部に把持部を設けてなる注出取手付カップ。
【請求項５】
請求項１乃至３のいずれかに記載の注出取手付カップにおいて、前記流動体収納カップに把持部を設けてなる注出取手付カップ。
【請求項６】
請求項１乃至５のいずれかに記載の注出取手付カップにおいて、前記流動体収納カップに計量用の目盛りを設けてなる注出取手付カップ。
【請求項７】
請求項１乃至６のいずれかに記載の注出取手付カップにおいて、前記流動体収容カップ又は注出取手部が透明である注出取手付カップ。
【考案の詳細な説明】
【技術分野】
【０００１】
本考案は、注出取手付カップに関する。
【背景技術】
【０００２】
従来、プロテイン等の顆粒体又は粉体を計量して、ＰＥＴボトル等の容器内に注出する計量スプーンは知られている。
【考案の開示】
【考案が解決しようとする課題】
【０００３】
しかし、前記容器の注入口が細口の場合、計量スプーンから前記容器内部にプロテイン等の顆粒体又は粉体を注出する際に、前記注入口の外周部に零れ落ちて周辺を汚してしまう課題があった。
【課題を解決するための手段】
【０００４】
そこで、本考案は、請求項１に記載のように、顆粒体又は粉体等の流動体を収容する流動体収容カップに、該流動体注出用の注出取手部を設けてなる注出取手付カップを提供するものである。
【０００５】
また、本考案は、請求項２に記載のように、請求項１に記載の注出取手付カップにおいて、筒状の注出取手部を流動体収容カップの底部付近に設けてなる注出取手付カップを提供するものである。
【０００６】
また、本考案は、請求項３に記載のように、請求項１に記載の注出取手付カップにおいて、トイ（樋）状の前記注出取手部を流動体収容カップの上端部付近に設けてなる注出取手付カップを提供するものである。
【０００７】
また、本考案は、請求項４に記載のように、請求項１乃至３のいずれかに記載の注出取手付カップにおいて、前記注出取手部に把持部を設けてなる注出取手付カップを提供するものである。
【０００８】
また、本考案は、請求項５に記載のように、請求項１乃至３のいずれかに記載の注出取手付カップにおいて、前記流動体収納カップに把持部を設けてなる注出取手付カップを提供するものである。
【０００９】
また、本考案は、請求項６に記載のように、請求項１乃至５のいずれかに記載の注出取手付カップにおいて、前記流動体収納カップに注出取手部内に収容した分も含めて計量用の目盛りを設けてなる注出取手付カップを提供するものである。
【００１０】
また、本考案は、請求項７に記載のように、請求項１乃至６のいずれかに記載の注出取手付カップにおいて、前記流動体収容カップ又は注出取手部が透明である注出取手付カップを提供するものである。
【考案の効果】
【００１１】
本考案に係る注出取手付カップによれば、請求項１に記載のように、顆粒体又は粉体等の流動体を収容する流動体収容カップに、該流動体注出用の注出取手部を設けてなる構成を有することにより、注出取手部を持って流動体を掬うことができると共に、流動体収容カップに収容された顆粒体又は粉体等の流動体をそのまま注出取手部から注出することができるから、口径の小さい注入口を有する容器に対して注出取手部から容易に顆粒体又は粉体等の流動体を注入することができ、注入口の外周部に零れ落ちることがなく周辺を汚さない効果がある。
【００１２】
また、本考案は、請求項２に記載のように、請求項１に記載の注出取手付カップにおいて、筒状の前記注出取手部を流動体収容カップの底部付近に設けてなる構成を有することにより、顆粒体又は粉体等の流動体は注出取手部の内部に収容され流動するから、注出取手部の外周部が流動体で汚れることはなく、手で注出取手部の外周部を掴んで清潔に安心して注出作業を行うことができる効果があると共に、収容した流動体を底部付近から全て円滑に注出することができる効果がある。
【００１３】
また、本考案は、請求項３に記載のように、請求項１に記載の注出取手付カップにおいて、前記注出取手部の形状がトイ（樋）状である構成を有することにより、顆粒体又は粉体等の流動体がトイ状の注出取手部上を流動する様子を見ることができるから、容器の注入口に流動体を注入する際に、注入する量や速さのタイミングを容易に計ることができる効果があると共に、流動体収容カップの上端部付近に注出取手部を設けることにより、流動体収容カップへ流動体を容易に掬うことができると共に、注出に際して流動体を流動体収容カップの上部から確実に注出することができる効果がある。
【００１４】
また、本考案は、請求項４に記載のように、請求項１乃至３のいずれかに記載の注出取手付カップにおいて、前記注出取手部に把持部を設けてなる構成を有することにより、顆粒体又は粉体等の流動体を注出取手部から注出する際に、把持部を掴んで迅速且つ容易に注出作業を行うことができる効果がある。
【００１５】
また、本考案は、請求項５に記載のように、請求項１乃至３のいずれかに記載の注出取手付カップにおいて、前記流動体収納カップに把持部を設けてなる構成を有することにより、流動体を注出取手部から注出する際に、把持部を掴んで抽出取手部から流動体を容易に注出することができる効果がある。
【００１６】
また、本考案は、請求項６に記載のように、請求項１乃至５のいずれかに記載の注出取手付カップにおいて、前記流動体収納カップに計量用の目盛りを設けてなる構成を有することにより、流動体収容カップ内に流動体を容易に計量することができると共に、注出量を計量しながら注出することができる効果がある。
【００１７】
また、本考案は、請求項７に記載のように、請求項１乃至６のいずれかに記載の注出取手付カップにおいて、前記流動体収容カップ又は注出取手部が透明である構成を有することにより、流動体収容カップ内に入った流動体の色や量を外部から確認することができ、また、流動体が注出取手部内を流動する様子を見ることができるから、流動体を容易に計量し注入することができる効果がある。
【考案を実施するための最良の形態】
【００１８】
以下図示する実施例により、本考案に係る注出取手付カップの実施の形態を説明する。
図１に記載する実施例において、本考案に係る注出取手付カップ１は、横断面が円形の円筒形状の流動体収容カップ２に筒状の注出取手部３が設けてある。注出取手部３は、基端部に流動体収容カップ２内に連通する連通口５を具備すると共に、先端部に外方に傾斜した注出口４を具備している。
【００１９】
図示の実施例の場合、連通口５は、流動体収容カップ２の底部６の近くに設けてあり、収容した流動体を底部６付近から全て円滑に注出することができるように構成してある。注出取手部３の注出口４は、流動体収容カップ２の上端部と同等の高さに設けることによって、流動体を流動体収容カップ２の上端部にまで入れることができる。
【００２０】
また、注出取手部３の筒状断面形状は、円形又は楕円形に限らず、縦長の細長形状のものであっても良い。
７は、流動体収容カップ２及び注出取手部３の２辺に隣接して設けた三角形状の把持部であり、この把持部７の中心部に切欠孔８を形成して持ち易く構成してある。
【００２１】
把持部７は、図示の実施例に限らず、注出取手部３に独立に設けることができ、この場合、把持部７は注出取手部３の一構成部分となる。また、把持部７は、流動体収容カップ２に独立に設けることができ、その場合は注出取手部３の反対側又は横側等に設けることによって、注出取手部３からの注出を容易にするように構成することができる。
【００２２】
９は、流動体収容カップ２の内側又は外側に設けた流動体計量用の目盛りで、注出取手部３内に収容した分も含めて計量するように設けてある。
また、図１に記載の実施例の場合、流動体収納カップ２及び注出取手部３は、その外部から内部が見えるように透明な樹脂又はガラス等の透明材料で成形してあり、流動体収容カップ２内の流動体を目盛り９を外側から見ながら正確に計量することができるように構成してある。
【００２３】
また、他の実施例において、注出取手部３を断面Ｕ字形のトイ（樋）状に構成することができる。
この場合、流動体収容カップ２の上端縁付近に注出取手部３を設けることにより、流動体収容カップ２へ流動体を掬うのが容易になると共に、注出に際して流動体を流動体収容カップ２の上部から安定して注出することができる。
【図面の簡単な説明】
【００２４】
【図１】本考案に係る注出取手付カップの一実施例を示す概略斜視図。
【符号の説明】
【００２５】
１    注出取手付カップ
２    流動体収容カップ
３    注出取手部
４    注出口
５    連通口
６    底部
７    把持部
８    切欠孔
９    目盛り
【図１】
0003103548.tif 000003
【手続補正書】
【提出日】平成16年4月16日(2004.4.16)
【手続補正１】
【補正対象書類名】実用新案登録請求の範囲
【補正対象項目名】全文
【補正方法】変更
【補正の内容】
【実用新案登録請求の範囲】
【請求項１】
顆粒体又は粉体等の流動体を収容する流動体収容カップに、基端部に流動体収容カップ内に連通する連通口を具備すると共に先端部に注出口を具備する注出取手部を設けてなる注出取手付カップ。
【請求項２】
請求項１に記載の注出取手付カップにおいて、筒状の前記注出取手部を流動体収容カップの底部付近に設けてなる注出取手付カップ。
【請求項３】
請求項１に記載の注出取手付カップにおいて、トイ（樋）状の前記注出取手部を流動体収容カップの上端部付近に設けてなる注出取手付カップ。
【請求項４】
請求項１乃至３のいずれか１項に記載の注出取手付カップにおいて、前記注出取手部に取手把持用の把持部を突設してなる注出取手付カップ。
【請求項５】
請求項１乃至３のいずれか１項に記載の注出取手付カップにおいて、前記流動体収納カップにカップ把持用の把持部を突設してなる注出取手付カップ。
【請求項６】
請求項１乃至５のいずれか１項に記載の注出取手付カップにおいて、前記流動体収納カップに収容された流動体の計量用の目盛りを設けてなる注出取手付カップ。
【請求項７】
請求項１乃至６のいずれか１項に記載の注出取手付カップにおいて、前記流動体収容カップ又は注出取手部が透明な素材からなる注出取手付カップ。
【手続補正２】
【補正対象書類名】明細書
【補正対象項目名】全文
【補正方法】変更
【補正の内容】
【考案の詳細な説明】
【技術分野】
【０００１】
本考案は、注出取手付カップに関する。
【背景技術】
【０００２】
従来、プロテイン等の顆粒体又は粉体を計量して、ＰＥＴボトル等の容器内に注出する計量スプーンは知られている。
【考案の開示】
【考案が解決しようとする課題】
【０００３】
しかし、前記容器の注入口が細口の場合、計量スプーンから前記容器内部にプロテイン等の顆粒体又は粉体を注出する際に、前記注入口の外周部に零れ落ちて周辺を汚してしまう課題があった。
【課題を解決するための手段】
【０００４】
そこで、本考案は、請求項１に記載のように、顆粒体又は粉体等の流動体を収容する流動体収容カップに、基端部に流動体収容カップ内に連通する連通口を具備すると共に先端部に注出口を具備する注出取手部を設けてなる注出取手付カップを提供するものである。
【０００５】
また、本考案は、請求項２に記載のように、請求項１に記載の注出取手付カップにおいて、筒状の注出取手部を流動体収容カップの底部付近に設けてなる注出取手付カップを提供するものである。
【０００６】
また、本考案は、請求項３に記載のように、請求項１に記載の注出取手付カップにおいて、トイ（樋）状の前記注出取手部を流動体収容カップの上端部付近に設けてなる注出取手付カップを提供するものである。
【０００７】
また、本考案は、請求項４に記載のように、請求項１乃至３のいずれかに記載の注出取手付カップにおいて、前記注出取手部に取手把持用の把持部を突設してなる注出取手付カップを提供するものである。
【０００８】
また、本考案は、請求項５に記載のように、請求項１乃至３のいずれかに記載の注出取手付カップにおいて、前記流動体収納カップにカップ把持用の把持部を突設してなる注出取手付カップを提供するものである。
【０００９】
また、本考案は、請求項６に記載のように、請求項１乃至５のいずれかに記載の注出取手付カップにおいて、前記流動体収納カップに収容された流動体の計量用の目盛りを設けてなる注出取手付カップを提供するものである。
【００１０】
また、本考案は、請求項７に記載のように、請求項１乃至６のいずれかに記載の注出取手付カップにおいて、前記流動体収容カップ又は注出取手部が透明な素材からなる注出取手付カップを提供するものである。
【考案の効果】
【００１１】
本考案に係る注出取手付カップによれば、請求項１に記載のように、顆粒体又は粉体等の流動体を収容する流動体収容カップに、該流動体注出用の注出取手部を設けてなる構成を有することにより、注出取手部を持って流動体を掬うことができると共に、流動体収容カップに収容された顆粒体又は粉体等の流動体をそのまま注出取手部から注出することができるから、口径の小さい注入口を有する容器に対して注出取手部から容易に顆粒体又は粉体等の流動体を注入することができ、注入口の外周部に零れ落ちることがなく周辺を汚さない効果がある。
【００１２】
また、本考案は、請求項２に記載のように、請求項１に記載の注出取手付カップにおいて、筒状の前記注出取手部を流動体収容カップの底部付近に設けてなる構成を有することにより、顆粒体又は粉体等の流動体は注出取手部の内部に収容され流動するから、注出取手部の外周部が流動体で汚れることはなく、手で注出取手部の外周部を掴んで清潔に安心して注出作業を行うことができる効果があると共に、収容した流動体を底部付近から全て円滑に注出することができる効果がある。
【００１３】
また、本考案は、請求項３に記載のように、請求項１に記載の注出取手付カップにおいて、前記注出取手部の形状がトイ（樋）状である構成を有することにより、顆粒体又は粉体等の流動体がトイ状の注出取手部上を流動する様子を見ることができるから、容器の注入口に流動体を注入する際に、注入する量や速さのタイミングを容易に計ることができる効果があると共に、流動体収容カップの上端部付近に注出取手部を設けることにより、流動体収容カップへ流動体を容易に掬うことができると共に、注出に際して流動体を流動体収容カップの上部から確実に注出することができる効果がある。
【００１４】
また、本考案は、請求項４に記載のように、請求項１乃至３のいずれかに記載の注出取手付カップにおいて、前記注出取手部に把持部を設けてなる構成を有することにより、顆粒体又は粉体等の流動体を注出取手部から注出する際に、把持部を掴んで迅速且つ容易に注出作業を行うことができる効果がある。
【００１５】
また、本考案は、請求項５に記載のように、請求項１乃至３のいずれかに記載の注出取手付カップにおいて、前記流動体収納カップに把持部を設けてなる構成を有することにより、流動体を注出取手部から注出する際に、把持部を掴んで抽出取手部から流動体を容易に注出することができる効果がある。
【００１６】
また、本考案は、請求項６に記載のように、請求項１乃至５のいずれかに記載の注出取手付カップにおいて、前記流動体収納カップに計量用の目盛りを設けてなる構成を有することにより、流動体収容カップ内に流動体を容易に計量することができると共に、注出量を計量しながら注出することができる効果がある。
【００１７】
また、本考案は、請求項７に記載のように、請求項１乃至６のいずれかに記載の注出取手付カップにおいて、前記流動体収容カップ又は注出取手部が透明である構成を有することにより、流動体収容カップ内に入った流動体の色や量を外部から確認することができ、また、流動体が注出取手部内を流動する様子を見ることができるから、流動体を容易に計量し注入することができる効果がある。
【考案を実施するための最良の形態】
【００１８】
以下図示する実施例により、本考案に係る注出取手付カップの実施の形態を説明する。
図１に記載する実施例において、本考案に係る注出取手付カップ１は、横断面が円形の円筒形状の流動体収容カップ２に筒状の注出取手部３が設けてある。注出取手部３は、基端部に流動体収容カップ２内に連通する連通口５を具備すると共に、先端部に外方に傾斜した注出口４を具備している。
【００１９】
図示の実施例の場合、連通口５は、流動体収容カップ２の底部６の近くに設けてあり、収容した流動体を底部６付近から全て円滑に注出することができるように構成してある。注出取手部３の注出口４は、流動体収容カップ２の上端部と同等の高さに設けることによって、流動体を流動体収容カップ２の上端部にまで入れることができる。
【００２０】
また、注出取手部３の筒状断面形状は、円形又は楕円形に限らず、縦長の細長形状のものであっても良い。
７は、流動体収容カップ２及び注出取手部３の２辺に隣接して設けた三角形状の把持部であり、この把持部７の中心部に切欠孔８を形成して持ち易く構成してある。
【００２１】
把持部７は、図示の実施例に限らず、注出取手部３に独立に設けることができ、この場合、把持部７は注出取手部３の一構成部分となる。また、把持部７は、流動体収容カップ２に独立に設けることができ、その場合は注出取手部３の反対側又は横側等に設けることによって、注出取手部３からの注出を容易にするように構成することができる。
【００２２】
９は、流動体収容カップ２の内側又は外側に設けた流動体計量用の目盛りで、注出取手部３内に収容した分も含めて計量するように設けてある。
また、図１に記載の実施例の場合、流動体収納カップ２及び注出取手部３は、その外部から内部が見えるように透明な樹脂又はガラス等の透明材料で成形してあり、流動体収容カップ２内の流動体を目盛り９を外側から見ながら正確に計量することができるように構成してある。
【００２３】
また、他の実施例において、注出取手部３を断面Ｕ字形のトイ（樋）状に構成することができる。
この場合、流動体収容カップ２の上端縁付近に注出取手部３を設けることにより、流動体収容カップ２へ流動体を掬うのが容易になると共に、注出に際して流動体を流動体収容カップ２の上部から安定して注出することができる。
【図面の簡単な説明】
【００２４】
【図１】本考案に係る注出取手付カップの一実施例を示す概略斜視図。
【符号の説明】
【００２５】
１    注出取手付カップ
２    流動体収容カップ
３    注出取手部
４    注出口
５    連通口
６    底部
７    把持部
８    切欠孔
９    目盛り